(57)【要約】　　　（修正有）【課題】　レンチの表裏を変えることなく、略円筒形状を有する部材を両方向のうちの一方向を選択して回転できる両方向クラッチ機構を備え、構造が簡単であり、かつ前記部材のサイズが変更になっても対応することができる汎用性の高いレンチを提供する。【解決手段】　締結部材の外周を収容可能な内周面１２を有する保持部１１と、周方向に一定の範囲で移動可能に保持されるロック部材１４と、内周面１２に形成され、ロック部材１４を移動可能な遊び領域と、遊び領域を挟んだ周方向両側に配設され、ロック部材１４を内周面１２から突出させる楔領域と、ロック部材１４を遊び領域から楔領域に付勢するコイルスプリング２２Ａ及び２２Ｂと、ロック部材１４がいずれか一方の楔領域に移動するようコイルスプリング２２Ａ及び２２Ｂの付勢方向を切替る切替部２３Ａ及び２３Ｂを備えたレンチ。【選択図】　　　　図１
2004136433.tif 000002
【特許請求の範囲】
【請求項１】
　略円筒形状を備えた部材を回転させるレンチであって、
　前記部材の外周を収容可能な内周面を有する保持部と、
　前記内周面の周方向に一定の範囲で移動可能に保持されるロック部材と、
　前記内周面に形成され、前記ロック部材を移動可能な遊び領域と、
　前記内周面に形成され、かつ前記遊び領域を挟んだ周方向両側に配設され、前記ロック部材を当該内周面から突出させる楔領域と、
　前記ロック部材が前記いずれか一方の楔領域に移動するよう切り替える切替手段と、
　を備えたレンチ。
【請求項２】
　前記ロック部材を前記遊び領域から前記楔領域に付勢する付勢手段をさらに備え、
　前記切替手段は、前記ロック部材が前記いずれか一方の楔領域に移動するよう前記付勢手段の付勢方向を切り替える請求項１記載のレンチ。
【請求項３】
　前記ロック部材の移動方向両側に前記付勢手段を各々設け、いずれか一方の付勢手段が前記ロック部材を付勢するよう、前記切替手段で切り替える請求項２記載のレンチ。
【請求項４】
　前記切替手段により、前記ロック部材が前記いずれか一方の楔領域に移動するよう切り替えた際に、当該ロック部材を係止して、該ロック部材が前記いずれか他方の楔領域に移動することを阻止する係止部をさらに備えた請求項１ないし請求項３のいずれか一項に記載のレンチ。
【請求項５】
　前記保持部は、平面視で円形リング状を備えてなる請求項１ないし請求項４のいずれか一項に記載のレンチ。
【請求項６】
　前記楔領域は、前記ロック部材を前記内周面から突出させるよう押圧する傾斜部を備えてなる請求項１ないし請求項５のいずれか一項に記載のレンチ。
【請求項７】
　前記傾斜部は、前記保持部の中心線に対して線対称に形成され、かつ当該中心線から遠ざかるに従って前記内周面に近づくよう傾斜してなる請求項６記載のレンチ。
【請求項８】
　前記ロック部材は、中空の円筒部材と、当該円筒部材の中空部に挿入される円筒ピンからなり、当該円筒ピンによって前記遊び領域及び楔領域が形成された収容部に移動可能に保持される請求項１ないし請求項７のいずれか一項に記載のレンチ。
【請求項９】
　前記遊び領域及び楔領域が形成された収容部を、前記全内周面に沿って複数形成し、前記ロック部材を、当該内周面に配置されたリテーナに複数保持して、当該各々のロック部材を各々の収容部に移動可能に配設する請求項１ないし請求項８のいずれか一項に記載のレンチ。
【請求項１０】
　前記各々のロック部材は、前記リテーナを介して、前記付勢手段によって付勢される請求項９記載のレンチ。
【発明の詳細な説明】
【技術分野】
【０００１】
　本発明は、略円筒形を備えた部材の外周面を把持して当該部材を回転させるレンチに関する。
【背景技術】
【０００２】
　従来、例えば、ナットとボルト等のような締結部材を、効率よく締め付け、または緩めるために、レンチが使用されている。
【０００３】
　例えば、このようなレンチとして、実開昭５６−１１０７６号公報（特許文献１）、実開平３−３３０６６号公報（特許文献２）、及び特開平７−６８４７３号公報（特許文献３）等に記載されたものがある。
【０００４】
　実開昭５６−１１０７６号公報、実開平３−３３０６６号公報、及び特開平７−６８４７３号公報に記載されているレンチ（スパナ）は、ボルト・ナット等の締結部材の外周面に装着される内周面を有しており、この内周面に複数のローラ（楔部材）を配設した構造を備えている。このような構成を備えたレンチは、前記複数のローラによって、前記締結部材の外周面を把持し、レンチの柄部を一方向に回転させた際に、前記ローラが締結部材の外周面に食い込んで、当該締結部材を他の部材に対して締め付ける「一方向クラッチ」を採用している。この一方向クラッチを使用したレンチは、締結部材を締め付ける方向を変える場合、レンチを裏返して、表裏を逆にする必要がある。
【０００５】
　また、レンチの柄部をいずれの方向に回転させても、前記締結部材の外周面を把持し、当該締結部材を回転させる「両方向クラッチ」を採用したレンチが、例えば、実開昭６１−１０５５７２号公報（特許文献４）や特開昭６１−１６４７８１号公報（特許文献５）等に記載されている。
【０００６】
　実開昭６１−１０５５７２号公報に記載されたレンチは、ハンドル部の先端に、ナットもしくはボルトに係合する係合部を有する回転体が回転自在に取り付けられ、この回転体の外周に巻掛けた線状体の両端部が前記ハンドル部の基端側所定位置に固定された構造を備えている。そして、前記回転体と、各々の線状体の端部とが接触し始める各々の箇所に対して、楔部材を挿入抜去自在に挟み込むことによって、ナットもしくはボルトをいずれか一方の方向に回転させることができるように構成されている。
【０００７】
　また、特開昭６１−１６４７８１号公報に記載されたレンチは、ハウジング内で二端位置間の回動が可能で、一方の端位置においては、つめ車が前記ハウジングに対して第１の方向に回動することを阻止するが、第２の方向への回動を許容し、他方の端位置においては、つめ車が前記ハウジングに対して第２の方向に回動することを阻止するが、第１の方向への回動を許容するつめ部材を有し、このつめ部材の位置に応じて、工具のボルトやナット等をいずれか一方の方向に回転させることができるように構成されている。
【特許文献１】実開昭５６−１１０７６号公報
【特許文献２】実開平３−３３０６６号公報
【特許文献３】特開平７−６８４７３号公報
【特許文献４】実開昭６１−１０５５７２号公報
【特許文献５】特開昭６１−１６４７８１号公報
【発明の開示】
【発明が解決しようとする課題】
【０００８】
　しかしながら、実開昭６１−１０５５７２号公報に記載されたレンチは、回転体のナットもしくはボルトに係合する係合部（六角孔）のサイズが決められているため、この係合部のサイズに合ったボルトもしくはナットにしか対応することができず、汎用性がないという問題があった。また、六角形状のボルトやナットを締め付けるための構造を備えており、例えば、円筒形の締結部材を締め付けるための構造については考慮されていなかった。
【０００９】
　また、特開昭６１−１６４７８１号公報に記載されたレンチは、つめ車を回動させる構造が複雑であった。また、工具のボルトやナット等に連結される駆動部材のサイズが決められているため、この駆動部材のサイズに合ったボルトもしくはナットにしか対応することができず、汎用性がないという問題もあった。
【００１０】
　本発明は、このような従来の問題点を解決することを課題とするものであり、レンチの表裏を変えることなく、略円筒形状を有する部材を両方向のうちの一方向を選択して回転させることが可能である両方向クラッチ機構を備え、部材の空回りが殆ど無く構造が簡単であり、かつ前記部材のサイズが変更になっても対応することができる汎用性の高いレンチを提供することを目的とする。
【課題を解決するための手段】
【００１１】
　この目的を達成するため、本発明は、略円筒形状を備えた部材を回転させるレンチであって、前記部材の外周を収容可能な内周面を有する保持部と、前記内周面の周方向に一定の範囲で移動可能に保持されるロック部材と、前記内周面に形成され、前記ロック部材を移動可能な遊び領域と、前記内周面に形成され、かつ前記遊び領域を挟んだ周方向両側に配設され、前記ロック部材を当該内周面から突出させる楔領域と、前記ロック部材が前記いずれか一方の楔領域に移動するよう切り替える切替手段と、を備えたレンチを提供するものである。
【００１２】
　この構成を備えたレンチは、レンチの表裏を逆にすることなく、切替手段によって、ロック部材が前記いずれか一方の楔領域に移動するよう切り替えるだけで、保持部に挿入させた略円筒形状を備えた部材を、当該保持部の内周面とロック部材とで確実に把持して、両方向のうちの一方向を選択して回転させることができる。また、前記略円筒形状を備えた部材のサイズが変更になっても、ロック部材が前記内周面から突出する量を調節することで、サイズの変更に対応することができ、汎用性が高いレンチとなる。
【００１３】
　また、本発明にかかるレンチは、前記ロック部材を前記遊び領域から前記楔領域に付勢する付勢手段をさらに備え、前記切替手段は、前記ロック部材が前記いずれか一方の楔領域に移動するよう前記付勢手段の付勢方向を切り替えるよう構成することもできる。このように構成することで、切替手段を切り替えることによって、前記ロック部材を、前記付勢手段により、さらに確実に前記いずれか一方の楔領域に移動させることができる。
【００１４】
　そしてまた、本発明にかかるレンチは、前記ロック部材の移動方向両側に前記付勢手段を各々設け、いずれか一方の付勢手段が前記ロック部材を付勢するよう、前記切替手段で切り替えることもできる。この構造を備えたレンチは、略円筒形状を備えた部材を締め付ける際に空回りすることが殆ど無い。
【００１５】
　前記保持部は、平面視で円形リング状を備えることができる。
【００１６】
　また、前記楔領域は、前記ロック部材を前記内周面から突出させるよう押圧する傾斜部を備えることができる。
【００１７】
　そしてまた、前記傾斜部は、前記保持部の中心線に対して線対称に形成され、かつ当該中心線から遠ざかるに従って前記内周面に近づくよう傾斜させることができる。
【００１８】
　さらにまた、前記ロック部材は、中空の円筒部材と、当該円筒部材の中空部に挿入される円筒ピンからなり、当該円筒ピンによって前記遊び領域及び楔領域が形成された収容部に移動可能に保持されるよう構成することもできる。この構成を備えたレンチは、前記利点に加え、１個のロック部材を設け、切替手段によって付勢手段の付勢方向を切り替えるだけという、より簡素な構成を提供することができる。
【００１９】
　また、本発明にかかるレンチは、前記遊び領域及び楔領域が形成された収容部を、前記全内周面に沿って複数形成し、前記ロック部材を、当該内周面に配置されたリテーナに複数保持して、当該各々のロック部材を各々の収容部に移動可能に配設することもできる。この場合、前記各々のロック部材は、前記リテーナを介して、前記付勢手段によって付勢されるよう構成してもよい。
【００２０】
　この構成を備えたレンチは、前記利点に加え、切替手段によって付勢手段の付勢方向を切り替えるだけで、１個のリテーナによってロック部材を遊び領域から楔領域に移動させることができるという簡素な構成を提供することができる。
【発明の効果】
【００２１】
　本発明にかかるレンチは、レンチの表裏を逆にすることなく、切替手段によって、ロック部材が前記いずれか一方の楔領域に移動するよう切り替えるだけで、保持部に挿入させた略円筒形状を備えた部材を、当該保持部の内周面とロック部材とで確実に把持して、空回りが殆ど無く、両方向のうちの一方向を選択して回転させることができる。また、構造が簡単であり、かつ前記部材のサイズが変更になっても対応することができる汎用性の高いレンチを提供することができる。
【発明を実施するための最良の形態】
【００２２】
　次に、本発明の好適な実施形態にかかるレンチについて図面を参照して説明する。なお、以下に記載される実施例１〜７は、本発明を説明するための例示であり、本発明をこれらの実施形態にのみ限定するものではない。本発明は、その要旨を逸脱しない限り、様々な形態で実施することができる。
【実施例１】
【００２３】
　図１は、実施例１にかかるレンチの図２に示すI−I線に沿った一部断面図、図２は、図１に示すII−II線に沿った一部断面図、図３は、図１に示すレンチの一部拡大図であって、切替部を一方に移動させた状態を示す図、図４は、図２に示すレンチの一部拡大図あって、切替部を一方に移動させた状態を示す図、図５は、図３に示すレンチからロック部材、付勢部材、切替部を取り除いた状態を示す図である。但し、図３及び図５は、構造を理解し易くするため、断面を示すハッチングは記載していない。
【００２４】
　図１〜図５に示すように、実施例１にかかるレンチ１は、図２に示す略円筒形の部材（以下、「締結部材１００」という）の外周を収容可能な内周面１２を有する保持部１１と、保持部１１に固定された柄部１３を備えている。
【００２５】
　保持部１１は、平面視で、その略中央部に円形の穴３０が貫通形成された円形リング状を備えている。円形の穴３０には、締結部材１００が挿入可能となっており、この円形の穴３０によって、内周面１２が画定されている。また、保持部１１の柄部１３が固定される側の内周面１２には、ロック部材１４が移動可能に収容される収容部１５が形成されている。
【００２６】
　ロック部材１４は、２つのリング２１Ｄ及び２１Ｕと、リング２１Ｄ及び２１Ｕの穴に挿入される円筒ピン１９を備えて構成されている。そして、リング２１Ｄ及び２１Ｕは、円筒ピン１９の両端部に、例えば止め輪等によって固定されている。
【００２７】
　収容部１５には、レンチの厚さ方向両側（図２及び図４参照）に、リング２１Ｄ及び２１Ｕを移動可能に収容するためのリング収容部３５Ｄ及び３５Ｕが、各々形成されている。
【００２８】
　このリング収容部３５Ｄの略中央部（図１に示す保持部１１の中心線Ｏ上付近）が、ロック部材１４を構成するリング２１Ｄを、内周面１２の周方向（以下、単に「周方向」ということがある）に移動可能に収容するための遊び領域１６Ｄとなっている。また、この遊び領域１６Ｄを挟んだ周方向両側が、リング２１Ｄを内周面１２から保持部１１の中心部に向けて突出させる楔領域１７ＤＡ及び１７ＤＢとなっている。具体的には、リング収容部３５Ｄは、リング２１Ｄが略中央部に位置している際は、リング２１Ｄが内周面１２から突出しない広さ（奥行き）を有している。また、リング収容部３５Ｄの中心線Ｏを挟んだ両側の内壁には、中心線Ｏに対して線対称に形成され、かつ中心線Ｏから周方向に遠ざかるに従って内周面１２に近づくよう傾斜した傾斜部１８ＤＡ及び１８ＤＢが形成されている。
【００２９】
　また、収容部１５には、ロック部材１４の中空部に挿入された円筒ピン１９が移動可能に挿入される挿入穴２０が形成されている。この挿入穴２０は、リング２１Ｄが傾斜部１８ＤＡ及び１８ＤＢに沿って（接触して）回転しながら周方向に移動できるよう、図５に示すように長穴状に開口されている。
【００３０】
　なお、リング収容部３５Ｕ及びリング２１Ｕは、リング収容部３５Ｄ及びリング２１Ｄと同様の構造を備えているため、符号に付したＤをＵに読み代えることで、その説明は省略する。
【００３１】
　収容部１５の外側であって、中心線Ｏに対し略垂直方向の両側には、係止部２５Ａ及び２５Ｂが配設されている。この係止部２５Ａ及び２５Ｂは、後に詳述する切替部２３Ａ及び２３Ｂに形成された係合溝２４Ａ及び２４Ｂに各々係止される球体３１Ａ及び３１Ｂと、球体３１Ａ及び３１Ｂを付勢するテーパコイルばね３２Ａ及び３２Ｂを備えて構成されている。係止部２５Ｂは、図３に示すように、切替部２３Ｂを矢印Ｘ方向に移動した際に、係合溝２４Ｂに球体３１Ｂを係合させ、切替部２３Ｂをこの位置に係止させるようになっている。切替部２３Ａが、矢印Ｙ方向（図３参照）に移動した際は、球体３１Ｂにばね３２Ｂの付勢力が働き、球体３１Ｂと係合溝２４Ｂとの係合が解除される。これと同時に、係止部２５Ａは、係合溝２４Ａに球体３１Ａを係合させ、切替部２３Ａをこの位置に係止させるようになっている。
【００３２】
　ロック部材１４を構成する円筒ピン１９の軸心方向略中央部であって、中心線Ｏを挟んだ両側には、ロック部材１４を遊び領域１６Ｄ（１６Ｕ）から楔領域１７ＤＡ及び１７ＤＢ（１７ＵＡ及び１７ＵＢ）に付勢する付勢手段としてのコイルスプリング２２Ａ及び２２Ｂの各々の一端が取付けられている。また、コイルスプリング２２Ａ及び２２Ｂの各々の他端は、切替部２３Ａ及び２３Ｂにそれぞれ取付けられている
　切替部２３Ａ及び２３Ｂは、保持部１１の中心線Ｏに対し、略垂直方向に移動可能に取付けられており、切替部２３Ａ及び２３Ｂの移動に応じて、コイルスプリング２２Ａ及び２２Ｂのいずれか一方がロック部材１４を付勢するよう切り替えを行う構成となっている。切替部２３Ａ及び２３Ｂには、係止部２５Ａ及び２５Ｂの球体３１Ａ及び３１Ｂを係止するための係合溝２４Ａ及び２４Ｂが形成されている。
【００３３】
　次に、実施例１にかかるレンチ１の具体的動作について図面を参照して説明する。
【００３４】
　締結部材１００を時計方向（図１に示す矢印ＣＷ方向）に回転させたい場合は、切替部２３Ｂを図１及び図３に示す矢印Ｘ方向に押し、コイルスプリング２２Ｂによってロック部材１４を矢印Ｘ方向に付勢する。この時、球体３１Ｂが切替部２３Ｂに形成されている係合溝２４Ｂに係合し、この状態を維持する。この動作により、ロック部材１４の円筒ピン１９が挿入穴２０内を矢印Ｘ方向に移動し、リング２１Ｄ及び２１Ｕが傾斜部１８ＤＡ及び１８ＵＡに接触しながら矢印Ｘ方向に移動、すなわち、楔領域１７ＤＡ及び１７ＵＡに移動して、図３に実線で示すように、リング２１Ｄ及び２１Ｕが内周面１２から突出する。
【００３５】
　この状態から、柄部１３を反時計方向（図１に示す矢印ＣＣＷ方向）に回転させて、リング２１Ｄ及び２１Ｕを遊び領域１６Ｄ及び１６Ｕに戻し、リング２１Ｄ及び２１Ｕが内周面１２から突出しないようにして、締結部材１００を円形の穴３０に挿入する。次に、柄部１３の反時計方向への回転を解除すると、リング２１Ｄ及び２１Ｕは、コイルスプリング２２Ｂの付勢力により再び楔領域１７ＤＡ及び１７ＵＡに移動して内周面１２から突出する。この動作により、締結部材１００は、内周面１２とロック部材１４（リング２１Ｄび２１Ｕ）との間に把持される。この状態で柄部１３を時計方向に回転させると、締結部材１００は、ロック部材１４の楔効果によって、内周面１２とロック部材１４とに確実に締め付けられ、空回りが殆ど無く保持部１１と一体となって時計方向に回転する。
【００３６】
　ここで、ロック部材１４は、締結部材１００のサイズ（径の長さ）に応じて、遊び領域から楔領域側に移動する距離が決定される。したがって、締結部材１００のサイズが変更になっても、そのサイズに応じてロック部材１４が楔領域側に移動する距離、すなわち、ロック部材１４が内周面１２から突出する量を調節することができる。このため、サイズが異なる締結部材にも対応可能な汎用性が高いレンチとなる。
【００３７】
　締結部材１００の回転を終了させる際は、柄部１３を反時計方向に回転させれば、ロック部材１４が遊び領域１６Ｄ及び１６Ｕ側に戻り、締結部材１００と、内周面１２及びロック部材１４との間に楔効果が生じなくなり、締結部材１００の回転が終了する。
【００３８】
　一方、保持部１１の円形の穴３０内に挿入した締結部材１００を反時計方向（図１に示す矢印ＣＣＷ方向）に回転させたい場合は、レンチ１の裏表を変えることなく、切替部２３Ａを図１及び図３に示す矢印Ｙ方向に押せば、前記と同様に、コイルスプリング２２Ａによってロック部材１４が矢印Ｙ方向に付勢され、球体３１Ａが切替部２３Ａに形成されている係合溝２４Ａに係合し、この状態を維持する。この動作により、リング２１Ｄ及び２１Ｕが傾斜部１８ＤＢ及び１８ＵＢに接触しながら楔領域１７ＤＢ及び１７ＵＢに移動して、リング２１Ｄ及び２１Ｕが内周面１２から突出する。この動作により、前記と同様に締結部材１００は、ロック部材１４の楔効果によって、内周面１２とロック部材１４とに確実に締め付けられ、保持部１１と一体となって反時計方向に回転する。締結部材１００の回転を終了させる際は、柄部１３を時計方向に回転させればよい。
【実施例２】
【００３９】
　次に、本発明の実施例２にかかるレンチについて、図面を参照して説明する。
【００４０】
　図６は、実施例２にかかるレンチの図８に示すVI−VI線に沿った断面図、図７は、図６に示すレンチの切替部を移動させた状態を示す図、図８は、図６に示すVIII−VIII線に沿った断面図である。
【００４１】
　なお、実施例２では、実施例１で説明した部材と同様の部材には、同一の符号を付し、その詳細な説明は省略する。
【００４２】
　図６〜図８に示すように、実施例２にかかるレンチ２は、図６に示す締結部材１００の外周を収容可能な内周面１２を有する保持部１１と、保持部１１に固定された柄部１３を備えている。
【００４３】
　保持部１１の柄部１３が固定される側の内周面１２には、ロック部材４４が移動可能に収容される収容部４５が形成されている。
【００４４】
　ロック部材４４は、中空の円筒部材５１と、円筒部材５１の中空部に挿入される円筒ピン１９を備えて構成されている。そして、円筒ピン１９は、特に図８に示すように、円筒部材５１の両端から延出した状態で固定されている。
【００４５】
　収容部４５は柄部１３側が、保持部１１の中心線Ｏに対して線対称な円弧状となっており、この中心線Ｏ上付近が、ロック部材４４を内周面１２の周方向に移動可能に収容するための遊び領域４６となっている。また、この遊び領域４６を挟んだ周方向両側が、ロック部材４４を内周面１２から保持部１１の中心部に向けて突出させる楔領域４７Ａ及び４７Ｂとなっている。この収容部４５は、ロック部材４４が略中央部に位置している際は、ロック部材４４が内周面１２から突出しない広さ（奥行き）を有している。なお、実施例２では、中心線Ｏを挟んだ周方向両側に形成された円弧状の内壁が、本発明でいう傾斜部に相当している。
【００４６】
　また、収容部４５の、レンチ２の厚さ方向（図８でいう上下方向）両端部には、円筒ピン１９の両端が移動可能に挿入される挿入穴５０Ｄ及び５０Ｕが形成されている。この挿入穴５０Ｄ及び５０Ｕは、ロック部材４４が収容部４５の円弧状の内壁に沿って（接触して）回転しながら周方向両側に移動できるような長穴状に開口されている。
【００４７】
　収容部４５の柄部１３側の外側であって、中心線Ｏ上には、係止部５５が配設されている。この係止部５５は、後に詳述する切替部５３に形成された係合溝５４Ａ及び５４Ｂのいずれか一方に係止される球体５６と、球体５６を付勢するテーパコイルばね５７を備えて構成されている。係止部５５は、図６に示すように、切替部５３を矢印ＣＣＷ方向に移動した際に、係合溝５４Ｂに球体５６を係合させ、切替部５３をこの位置に係止させるようになっている。一方、切替部５３が、図７に示すように矢印ＣＷ方向に移動した際は、球体５６にばね５７の付勢力が働き、球体５６と係合溝５４Ｂとの係合が解除される。これと同時に、係止部５５は、係合溝５４Ａに球体５６を係合させ、切替部５３をこの位置に係止させるようになっている。
【００４８】
　切替部５３は、略扇状を備えた板状を有し、保持部１１の中心線Ｏに対し、周方向に所定の範囲内で移動可能に取付けられている。切替部５３の内周面１２側には、円筒ピン１９が移動可能に係合する半長円状の切欠き５８が形成されている。この切替部５３は、切欠き５８の両側（切替部５３の回転方向両側）を画定している部分が、後に詳述するが、ロック部材４４が楔領域４７Ａ及び４７Ｂのいずれか一方に移動するよう切替部５３を切り替えた際に、ロック部材４４を係止して、ロック部材４４が楔領域４７Ａ及び４７Ｂのいずれか他方に移動することを阻止する係止部５８Ａ及び５８Ｂとなっている。この切替部５３には、図８に示すように、保持部１１の中心線Ｏ上の下面から立設された係止ピン５９及び６０が移動可能に挿入される長穴６１及び６２が開口されている。係止ピン５９には、ロック部材４４を付勢する板ばね６３が取り付けられている。なお、符号６４Ａ及び６４Ｂは、板ばね６３の両腕を係止するための係止ピンである。
【００４９】
　次に、実施例２にかかるレンチ２の具体的動作について、図面を参照して説明する。
【００５０】
　締結部材１００を時計方向に回転させたい場合は、切替部５３を反時計方向（図６に示す矢印ＣＣＷ方向）に押す。この動作によって、係止ピン５９及び６０は相対的に、長穴６１及び６２の時計方向側（図６に矢印ＣＷで示す方向）に移動する。また、板ばね６３は、ロック部材４４を反時計方向に付勢する。これによって、ロック部材４４を構成する円筒形部材５１は、収容部４５の円弧状の内壁に接触しながら、遊び領域４６から楔領域４７Ａに移動し、円筒ピン１９は、挿入穴５０Ｄに接触しながら、切欠き５８の反時計方向側に移動する。この動作により、ロック部材４４が内周面１２から突出する。また、球体５６が係合溝５４Ｂに係止され、この状態を維持する。
【００５１】
　この状態から、柄部１３を反時計方向（図６に示す矢印ＣＣＷ方向）に回転させて、ロック部材４４を遊び領域４６に戻し、ロック部材４４が内周面１２から突出しないようにして、締結部材１００を円形の穴３０に挿入する。なお、ロック部材４４は、切欠き５８の時計方向側に形成されている係止部５８Ｂに係止され、反対方向の楔領域４７Ｂには移動しない。次に、柄部１３の反時計方向への回転を解除すると、ロック部材４４は、板ばね６３の付勢力により再び楔領域４７Ａに移動して内周面１２から突出する。この状態で柄部１３を時計方向に回転させると、締結部材１００は、ロック部材４４の楔効果によって、内周面１２とロック部材４４とによって確実に締め付けられ、空回りが殆ど無く、保持部１１と一体となって時計方向に回転する。
【００５２】
　ここで、ロック部材４４は、締結部材１００のサイズ（径の長さ）に応じて、遊び領域から楔領域側に移動する距離が決定される。したがって、締結部材１００のサイズが変更になっても、そのサイズに応じてロック部材４４が楔領域側に移動する距離、すなわち、ロック部材４４が内周面１２から突出する量を調節することができる。このため、サイズが異なる締結部材にも対応可能な汎用性が高いレンチとなる。
【００５３】
　締結部材１００の回転を終了させる際は、柄部１３を反時計方向に回転させれば、ロック部材４４が遊び領域４６に戻り、締結部材１００と、内周面１２及びロック部材１４との間に楔効果が生じなくなり、締結部材１００の回転が終了する。
【００５４】
　一方、保持部１１の円形の穴３０内に挿入した締結部材１００を反時計方向（図７に示す矢印ＣＣＷ方向）に回転させたい場合は、図７に示すように、切替部５３を矢印ＣＷ方向に押せば、係止ピン５９及び６０が相対的に、長穴６１及び６２の反時計方向側（図７に矢印ＣＣＷで示す方向）に移動する。また、板ばね６３は、ロック部材４４を時計方向に付勢する。これによって、ロック部材４４を構成する円筒形部材５１は、収容部４５の円弧状の内壁に接触しながら、遊び領域４６から楔領域４７Ｂに移動し、円筒ピン１９は、切替部５３に形成されている切欠き５８に接触しながら、切欠き５８の反時計方向側に移動する。この動作により、ロック部材４４が内周面１２から突出し、締結部材１００は、内周面１２とロック部材１４との間に把持される。また、球体５６が係合溝５４Ｂに係止され、この状態を維持する。
【００５５】
　この状態で柄部１３を時計方向に回転させると、締結部材１００は、ロック部材４４の楔効果によって、内周面１２とロック部材４４とによって確実に締め付けられ、保持部１１と一体となって時計方向に回転する。
【００５６】
　なお、実施例２では、ロック部材４４を付勢する付勢手段として板ばね６３を用いた場合について説明したが、これに限らず、板ばね６３の代わりに、ねじりコイルばね等を使用してもよい。
【実施例３】
【００５７】
　次に、本発明の実施例３にかかるレンチについて、図面を参照して説明する。
【００５８】
　図９は、実施例３にかかるレンチの図１１に示すIX−IX線に沿った断面図、図１０は、図９に示すレンチの切替部を移動させた状態を示す図、図１１は、図９に示すXI−XI線に沿った断面図である。
【００５９】
　なお、実施例３では、実施例１及び２で説明した部材と同様の部材には、同一の符号を付し、その詳細な説明は省略する。
【００６０】
　図９〜図１１に示すように、実施例３にかかるレンチ３の、実施例２にかかるレンチ２と異なる主な点は、切替部７３の構成である。すなわち、切替部７３は、略長方形を備えた板状を有し、保持部１１の中心線Ｏに対し、略垂直方向（図９に示す矢印Ｘ方向、及び図１０に示す矢印Ｙ方向）に所定の範囲内で移動可能に取付けられている。切替部７３の内周面１２側には、円筒ピン１９が移動可能に係合する半長円状の切欠き５８が形成されている。この切替部７３は、切欠き５８の両側（切替部７３の移動方向両側）を画定している部分が、切替部５３を、ロック部材４４が楔領域４７Ａ及び４７Ｂのいずれか一方に移動するよう切り替えた際に、ロック部材４４を係止して、ロック部材４４が楔領域４７Ａ及び４７Ｂのいずれか他方に移動することを阻止する係止部５８Ａ及び５８Ｂとなっている。この切替部７３には、図１１に示すように、保持部１１の中心線Ｏ上の下面から立設された係止ピン５９が移動可能に挿入される長穴７１が開口されている。係止ピン５９には、ロック部材４４を付勢する板ばね６３が取り付けられている。この板ばね６３も、係止ピン６４Ａ及び６４Ｂによって、その両腕が係止されている。
【００６１】
　なお、実施例３にかかるレンチ３の具体的動作は、実施例２にかかるレンチ２にほぼ準じている。すなわち、実施例２では、扇状の切替部５３を時計方向あるいは反時計方向に移動させて、ロック部材４４を楔領域４７Ａまたは４７Ｂのずれかに移動させ、ロック部材４４を内周面１２から突出させたが、実施例３では、切替部７３を保持部１１の中心線Ｏに略垂直な方向（図９に示す矢印Ｘ方向、及び図１０に示す矢印Ｙ方向）に移動させることで、ロック部材４４を楔領域４７Ａまたは４７Ｂのずれかに移動させ、ロック部材４４を内周面１２から突出させる点が異なるだけである。
【実施例４】
【００６２】
　次に、本発明の実施例４にかかるレンチについて、図面を参照して説明する。
【００６３】
　図１２は、実施例４にかかるレンチの平面図であって、一部を切欠いた図、図１３は、図１５に示すXIII−XIII線に沿った断面図、図１４は、図１３に示すレンチの切替部を移動させた状態を示す図、図１５は、図１２に示すXV−XV線に沿った断面図である。
【００６４】
　なお、実施例４では、実施例１、２及び３で説明した部材と同様の部材には、同一の符号を付し、その詳細な説明は省略する。
【００６５】
　図１２〜図１５に示すように、実施例４にかかるレンチ４の、実施例３にかかるレンチ３と主に異なる点は、保持部１１の内周面１２の全周にわたって複数の収容部４５を形成した点と、複数のロック部材４４をリテーナ８１に収容し、リテーナ８１全体が内周面１２の周方向に回動することにより、ロック部材４４を遊び領域４６からくさび領域４７Ａあるいは４７Ｂに移動させる点、及び切替部８３の構成である。
【００６６】
　保持部１１の内周面１２には、その全周にわたって、ロック部材４４が移動可能に収容される複数の収容部４５が形成されている。この内周面１２には、リテーナ８１が周方向に回動可能に設置されており、このリテーナ８１には、ロック部材４４を回転可能かつ周方向に移動不能に収容する収容溝８４が周方向に適宜間隔で複数形成されている。このようにリテーナ８１にロック部材４４が収容されるよう構成することにより、本実施例においては、複数のロック部材４４は、リテーナ８１と一体となって周方向に移動する。
【００６７】
　切替部８３は、略長方形を備えた板状を有し、保持部１１の中心線Ｏに対し、略垂直方向（図１３に示す矢印Ｘ方向、及び図１４に示す矢印Ｙ方向）に所定の範囲内で移動可能に取付けられている。切替部８３の略中央部には、リテーナ８１を付勢する板ばね８５の一端が、中心線Ｏに対し略垂直方向（切替部８３の長手方向）に所定の範囲内で移動可能に取付けられている。この板ばね８５の他端は、リテーナ８１に固定されている。
【００６８】
　次に、実施例４にかかるスパナ４の具体的動作について図面を参照して説明する。
【００６９】
　締結部材１００を時計方向に回転させたい場合は、切替部８３を図１３に示す矢印Ｘ方向に押す。この動作によって、板ばね８５がリテーナ８１を反時計方向に付勢し、リテーナ８１は図１３に示すように反時計方向（矢印ＣＣＷ方向）に移動する。この移動により、ロック部材４４は、リテーナ８１と一体となって、収容部４５の円弧状の内壁に接触しながら、遊び領域４６から楔領域４７Ａに移動する。この動作により、ロック部材４４が内周面１２から突出し、また、球体５６が係合溝５４Ｂに係止され、この状態を維持する。
【００７０】
　この状態から、柄部１３を反時計方向（矢印ＣＣＷ方向）に回転させて、ロック部材４４を遊び領域４６に戻し、ロック部材４４が内周面１２から突出しないようにして、締結部材１００を円形の穴３０に挿入する。次に、柄部１３の反時計方向への回転を解除すると、ロック部材４４は、板ばね８５の付勢力により再び楔領域４７Ａに移動して内周面１２から突出する。この状態で柄部１３を時計方向に回転させると、締結部材１００は、ロック部材４４の楔効果によって、内周面１２とロック部材４４とによって、円周方向に均等に、確実に締め付けられ、空回りが殆ど無く保持部１１と一体となって時計方向に回転する。
【００７１】
　締結部材１００の回転を終了させる際は、柄部１３を反時計方向に回転させれば、ロック部材４４が遊び領域４６に戻り、締結部材１００と、内周面１２及びロック部材１４との間に楔効果が生じなくなり、締結部材１００の回転が終了する。
【００７２】
　一方、保持部１１の円形の穴３０内に挿入した締結部材１００を反時計方向（矢印ＣＣＷ方向）に回転させたい場合は、図１４に示すように、切替部５３を矢印Ｙ方向に押せば、前記と同様に板ばね８５がリテーナ８１を時計方向（矢印ＣＷ方向）に付勢する。これによって、ロック部材４４は、リテーナ８１と一体となって、収容部４５の円弧状の内壁に接触しながら、遊び領域４６から楔領域４７Ｂに移動する。この動作により、ロック部材４４が内周面１２から突出し、締結部材１００は、内周面１２とロック部材１４との間に把持される。また、球体５６が係合溝５４Ｂに係止され、この状態を維持する。
【００７３】
　この状態で柄部１３を時計方向に回転させると、締結部材１００は、ロック部材４４の楔効果によって、内周面１２とロック部材４４とによって、円周方向に均等に、確実に締め付けられ、空回りが殆ど無く保持部１１と一体となって時計方向に回転する。
【実施例５】
【００７４】
　次に、本発明の実施例５にかかるレンチについて、図面を参照して説明する。
【００７５】
　図１６は、実施例５にかかるレンチの図１８に示すXVI−XVI線に沿った断面図、図１７は、図１６に示すレンチの切替部を移動させた状態を示す図、図１８は、図１６に示すXVIII−XVIII線に沿った断面図である。
【００７６】
　なお、実施例５では、実施例２で説明した部材と同様の部材には、同一の符号を付し、その詳細な説明は省略する。
【００７７】
　図１６〜図１８に示すように、実施例５にかかるレンチ５は、実施例２にかかるレンチ２からロック部材４４を付勢する板ばね６３と、板ばね６３の両腕を係止するための係止ピン６４Ａ及び６４Ｂを取り除いた構成を備えている。
【００７８】
　この構成を備えたレンチ５の具体的動作は、実施例２にかかるレンチ２にほぼ準じているため、異なる部分以外は詳細には述べないが、このレンチ５を用いて締結部材１００を時計方向に回転させたい場合は、切替部５３を反時計方向（図１６に示す矢印ＣＣＷ方向）に押すと、球体５６が係合溝５４Ｂに係止され、この状態を維持する。
【００７９】
　この状態から、柄部１３を反時計方向（図１６に示す矢印ＣＣＷ方向）に回転させて、ロック部材４４を遊び領域４６に戻し、ロック部材４４が内周面１２から突出しないようにして、締結部材１００を円形の穴３０に挿入する。なお、ロック部材４４は、切欠き５８の時計方向側に形成されている係止部５８Ｂに係止され、反対方向の楔領域４７Ｂには移動しない。次に、柄部１３の反時計方向への回転を解除し、柄部１３を時計方向に回転させると、ロック部材４４の円筒形部材５１が、慣性により位置を保持し、相対的にロック部材４４が遊び領域４６から楔領域４７Ａに移動して、内周面１２から突出する。この動作により、締結部材１００は、ロック部材４４の楔効果によって、内周面１２とロック部材４４とによって確実に締め付けられ、空回りが殆ど無く、保持部１１と一体となって時計方向に回転する。
【００８０】
　締結部材１００の回転を終了させる際は、柄部１３を反時計方向に回転させれば、ロック部材４４が遊び領域４６に戻り、締結部材１００と、内周面１２及びロック部材１４との間に楔効果が生じなくなり、締結部材１００の回転が終了する。
【００８１】
　一方、保持部１１の円形の穴３０内に挿入した締結部材１００を反時計方向（図１７に示す矢印ＣＣＷ方向）に回転させたい場合は、図１７に示すように、切替部５３を矢印ＣＷ方向に押し、柄部１３を反時計方向に回転させると、締結部材１００は、前記と同様に内周面１２とロック部材４４との楔効果によって確実に締め付けられ、保持部１１と一体となって反時計方向に回転する。
【実施例６】
【００８２】
　次に、本発明の実施例６にかかるレンチについて、図面を参照して説明する。
【００８３】
　図１９は、実施例６にかかるレンチの図２１に示すXIX−XIX線に沿った断面図、図２０は、図１９に示すレンチの切替部を移動させた状態を示す図、図２１は、図１９に示すXXI−XXI線に沿った断面図である。
【００８４】
　なお、実施例６では、実施例３で説明した部材と同様の部材には、同一の符号を付し、その詳細な説明は省略する。
【００８５】
　図１９〜図２１に示すように、実施例６にかかるレンチ６は、実施例３にかかるレンチ３から、ロック部材４４を付勢する板ばね６３と、板ばね６３が取付けられる係止ピン５９と、板ばね６３の両腕を係止するための係止ピン６４Ａ及び６４Ｂを取り除き、かつ切替部７３に係止ピン５９を移動可能に挿入するための長穴７１が開口されていない構成を備えている。
【００８６】
　なお、実施例６にかかるレンチ６の具体的動作は、実施例５にかかるレンチ５にほぼ準じている。すなわち、実施例５では、扇状の切替部５３を時計方向あるいは反時計方向に移動させて、ロック部材４４を楔領域４７Ａまたは４７Ｂのずれかに移動させ、ロック部材４４を内周面１２から突出させたが、実施例６では、切替部７３を保持部１１の中心線Ｏに略垂直な方向（図１９に示す矢印Ｘ方向、及び図２０に示す矢印Ｙ方向）に移動させることで、ロック部材４４を楔領域４７Ａまたは４７Ｂのずれかに移動させ、ロック部材４４を内周面１２から突出させる点が異なるだけである。
【実施例７】
【００８７】
　次に、本発明の実施例７にかかるレンチについて、図面を参照して説明する。
【００８８】
　図２２は、実施例７にかかるレンチの図２４に示すXXII−XXII線に沿った断面図、図２３は、図２２に示すレンチの切替部を移動させた状態を示す図、図２４は、図２２に示すXXIV−XXIV線に沿った断面図である。
【００８９】
　なお、実施例７では、実施例４で説明した部材と同様の部材には、同一の符号を付し、その詳細な説明は省略する。
【００９０】
　図２２〜図２４に示すように、実施例７にかかるレンチ７の、実施例４にかかるレンチ４と異なる点は、切替部９３の構造と、リテーナ８１を付勢する板ばね８５を設けていない点である。
【００９１】
　切替部９３は、略長方形を備えた板状の切替部本体９４と、切替部本体９４の内周面１２側であって、中心線Ｏに対し垂直方向略中央部から内周面１２側に延出した凸部９５を備えている。
【００９２】
　凸部９５は、図２２に示すように、切替部９３を矢印Ｘ方向に移動した際に、中心線Ｏよりも矢印Ｘ方向側かつ柄部１３側であって、中心線Ｏに近接した位置にある収容部４５の楔領域４７Ｂに延出して、ロック部材４４が楔領域４７Ｂに移動することを阻止する係止部としての役割を果たしている。また、凸部９５は、図２３に示すように、切替部９３を矢印Ｙ方向に移動した際に、中心線Ｏよりも矢印Ｙ方向側かつ柄部１３側であって、中心線Ｏに近接した位置にある収容部４５の楔領域４７Ａに延出して、ロック部材４４が楔領域４７Ａに移動することを阻止する係止部としての役割を果たしている。
【００９３】
　この構成を備えたレンチ７の具体的動作は、実施例４にかかるレンチ４にほぼ準じているため、異なる部分以外は詳細には述べないが、このレンチ７を用いて締結部材１００を時計方向に回転させたい場合は、切替部９３を図２２に示す矢印Ｘ方向に押すと、凸部９４が楔領域４７Ｂに延出して、ロック部材４４は、楔領域４７Ｂに位置することができなくなる。
【００９４】
　この状態から、柄部１３を反時計方向（矢印ＣＣＷ方向）に回転させて、ロック部材４４を遊び領域４６に戻し、ロック部材４４が内周面１２から突出しないようにして、締結部材１００を円形の穴３０に挿入する。次に、柄部１３の反時計方向への回転を解除し、柄部１３を時計方向に回転させると、ロック部材４４が、慣性により位置を保持し、相対的に遊び領域４６から楔領域４７Ａに移動して、内周面１２から突出する。この動作により、締結部材１００は、内周面１２とロック部材４４の楔効果によって、円周方向に均等に、確実に締め付けられ、空回りが殆ど無く保持部１１と一体となって時計方向に回転する。
【００９５】
　締結部材１００の回転を終了させる際は、柄部１３を反時計方向に回転させれば、ロック部材４４が遊び領域４６に戻り、締結部材１００と、内周面１２及びロック部材１４との間に楔効果が生じなくなり、締結部材１００の回転が終了する。
【００９６】
　一方、保持部１１の円形の穴３０内に挿入した締結部材１００を反時計方向（矢印ＣＣＷ方向）に回転させたい場合は、図２３に示すように、切替部９３を矢印Ｙ方向に押し、柄部１３を反時計方向に回転させると、締結部材１００は、前記と同様に内周面１２とロック部材４４との楔効果によって、円周方向に均等に、確実に締め付けられ、空回りが殆ど無く保持部１１と一体となって時計方向に回転する。
【００９７】
　なお、実施例７では、中心線Ｏを挟んだ両側に収容部４５を配設した構成としたため、凸部９５の内周面１２側を平面形状としたが、中心線Ｏ上に遊び領域４６を配設した構成の場合は、凸部９５の内周面１２側を、実施例２、３、５及び６で説明した切欠き５８のように構成することができる。
【図面の簡単な説明】
【００９８】
【図１】本発明の実施例１にかかるレンチの図２に示すI−I線に沿った一部断面図である。
【図２】図１に示すII−II線に沿った一部断面図である。
【図３】図１に示すレンチの一部拡大図であって、切替部を一方に移動させた状態を示す図である。
【図４】図２に示すレンチの一部拡大図あって、切替部を一方に移動させた状態を示す図である。
【図５】図３に示すレンチからロック部材、付勢部材、切替部を取り除いた状態を示す図である。
【図６】本発明の実施例２にかかるレンチの図８に示すVI−VI線に沿った断面図である。
【図７】図６に示すレンチの切替部を移動させた状態を示す図である。
【図８】図６に示すVIII−VIII線に沿った断面図である。
【図９】本発明の実施例３にかかるレンチの図１１に示すIX−IX線に沿った断面図である。
【図１０】図９に示すレンチの切替部を移動させた状態を示す図である。
【図１１】図９に示すXI−XI線に沿った断面図である。
【図１２】本発明の実施例４にかかるレンチの平面図であって、一部を切欠いた図である。
【図１３】図１５に示すXIII−XIII線に沿った断面図である。
【図１４】図１３に示すレンチの切替部を移動させた状態を示す図である。
【図１５】図１２に示すXV−XV線に沿った断面図である。
【図１６】本発明の実施例５にかかるレンチの図１８に示すXVI−XVI線に沿った断面図である。
【図１７】図１６に示すレンチの切替部を移動させた状態を示す図である。
【図１８】図１６に示すXVIII−XVIII線に沿った断面図である。
【図１９】本発明の実施例６にかかるレンチの図２１に示すXIX−XIX線に沿った断面図である。
【図２０】図１９に示すレンチの切替部を移動させた状態を示す図である。
【図２１】図１９に示すXXI−XXI線に沿った断面図である。
【図２２】実本発明の施例７にかかるレンチの図２４に示すXXII−XXII線に沿った断面図である。
【図２３】図２２に示すレンチの切替部を移動させた状態を示す図である。
【図２４】図２２に示すXXIV−XXIV線に沿った断面図である。
【符号の説明】
【００９９】
１、２、３、４　　レンチ
１１　　保持部
１２　　内周面
１３　　柄部
１４、４４　　ロック部材
１５、４５　　収容部
１６Ｄ、１６Ｕ、４６　　遊び領域
１７ＤＡ、１７ＤＢ、１７ＵＡ、１７ＵＢ、４７Ａ、４７Ｂ　　楔領域
１８ＤＡ、１８ＤＢ、１８ＵＡ、１８ＵＢ　　傾斜部
１９　　円筒ピン
２１Ｄ、２１Ｕ　　リング
２３Ａ、２３Ｂ、５３、７３、８３、９３　　切替部
５１　　円筒形部材
５８　　切欠き
５８Ａ、５８Ｂ　　係止部
【図１】
2004136433.tif 000003
【図２】
2004136433.tif 000004
【図３】
2004136433.tif 000005
【図４】
2004136433.tif 000006
【図５】
2004136433.tif 000007
【図６】
2004136433.tif 000008
【図７】
2004136433.tif 000009
【図８】
2004136433.tif 000010
【図９】
2004136433.tif 000011
【図１０】
2004136433.tif 000012
【図１１】
2004136433.tif 000013
【図１２】
2004136433.tif 000014
【図１３】
2004136433.tif 000015
【図１４】
2004136433.tif 000016
【図１５】
2004136433.tif 000017
【図１６】
2004136433.tif 000018
【図１７】
2004136433.tif 000019
【図１８】
2004136433.tif 000020
【図１９】
2004136433.tif 000021
【図２０】
2004136433.tif 000022
【図２１】
2004136433.tif 000023
【図２２】
2004136433.tif 000024
【図２３】
2004136433.tif 000025
【図２４】
2004136433.tif 000026